【手続補正書】
【提出日】平成21年12月25日(2009.12.25)
【手続補正１】
【補正対象書類名】明細書
【補正対象項目名】発明の名称
【補正方法】変更
【補正の内容】
【発明の名称】両面感熱媒体及び両面感熱印刷システム
【手続補正２】
【補正対象書類名】特許請求の範囲
【補正対象項目名】全文
【補正方法】変更
【補正の内容】
【特許請求の範囲】
【請求項１】
第１の面および第２の面を含む耐熱性基材と、
少なくとも１つの感熱カラー画像形成構成要素を含む前記基材の前記第１の面上の第１のコーティングと、
少なくとも２つの感熱カラー画像形成構成要素を含む前記基材の前記第２の面上の第２のコーティングとを含み、前記基材の前記耐熱性が、前記第１のコーティングおよび前記第２のコーティングの一方に加えられた熱が、前記第１のコーティングおよび前記第２のコーティングの他方の少なくとも１つの感熱カラー画像形成構成要素を画像形成するのを防止できるだけ十分高い両面感熱媒体。
【請求項２】
前記基材の不透明性が、前記第１の面上の前記少なくとも１つの感熱カラー画像形成構成要素を介して画像形成されたカラーが、前記第２の面上の少なくとも１つの感熱カラー画像形成構成要素を介して画像形成されたカラーを変化させるように前記第２の面に貫通するのを防止できるだけ十分不透明である、請求項１に記載の両面感熱媒体。
【請求項３】
前記基材と前記第１の面上の前記第１のコーティングとの間に配置される第１のプライマと、
前記基材と前記第２の面上の前記第２のコーティングとの間に配置される第２のプライマとをさらに含む、請求項１に記載の両面感熱媒体。
【請求項４】
前記第１のコーティングおよび前記第２のコーティングのうちの一方の少なくとも１つの感熱画像形成構成要素が、着色染料または染料前駆体である、請求項１に記載の両面感熱媒体。
【請求項５】
前記第１のコーティングおよび前記第２のコーティングのうちの少なくとも一方が、３つの感熱カラー画像形成構成要素を含む、請求項１に記載の両面感熱媒体。
【請求項６】
前記３つの感熱カラー画像形成構成要素が、シアン、マゼンタおよびイエローである、請求項５に記載の両面感熱媒体。
【請求項７】
前記第１のコーティングおよび前記第２のコーティングのうちの少なくとも一方が、前記３つの感熱カラー画像形成構成要素の混合物を含む、請求項６に記載の両面感熱媒体。
【請求項８】
前記第１のコーティングおよび前記第２のコーティングのうちの少なくとも一方が、
第１の感熱カラー画像形成構成要素を含む第１の感熱画像形成構成要素コートと、
第２の感熱カラー画像形成構成要素を含む第２の感熱画像形成構成要素コートと、
第３の感熱カラー画像形成構成要素を含む第３の感熱画像形成構成要素コートとを含む、請求項５に記載の両面感熱媒体。
【請求項９】
前記第１の感熱画像形成構成要素コートと前記第２の感熱画像形成構成要素コートとの間に配置される第１のバリア・コートと、
前記第２の感熱画像形成構成要素コートと前記第３の感熱画像形成構成要素コートとの間に配置される第２のバリア・コートとをさらに含む、請求項８に記載の両面感熱媒体。
【請求項１０】
前記第１のコーティングおよび前記第２のコーティングの少なくとも一方が、少なくとも１つの感熱画像形成構成要素を含む少なくとも１つのカラー部分を含む、請求項５に記載の両面感熱媒体。
【請求項１１】
前記少なくとも１つのカラー部分のうちの１つが、３つの感熱カラー画像形成構成要素を含む、請求項１０に記載の両面感熱媒体。
【請求項１２】
前記３つの感熱カラー画像形成構成要素が、シアン、マゼンタおよびイエローを含む、請求項１１に記載の両面感熱媒体。
【請求項１３】
前記少なくとも１つのカラー部分のうちの１つが、前記３つの感熱カラー画像形成構成要素の混合物を含む、請求項１１に記載の両面感熱媒体。
【請求項１４】
前記少なくとも１つのカラー部分が、
第１の感熱カラー画像形成構成要素を含む第１の感熱画像形成構成要素コートと、
第２の感熱カラー画像形成構成要素を含む第２の感熱画像形成構成要素コートと、
第３の感熱カラー画像形成構成要素を含む第３の感熱画像形成構成要素コートとを含む、請求項１１に記載の両面感熱媒体。
【請求項１５】
前記第１のコーティングおよび前記第２のコーティングの少なくとも一方上に保護トップコートをさらに含む、請求項１に記載の両面感熱媒体。
【請求項１６】
第１の面および第２の面を含む不透明な耐熱性基材と、
少なくとも１つの感熱カラー画像形成構成要素を含む前記基材の前記第１の面上の第１のコーティングと、
少なくとも２つの感熱カラー画像形成構成要素を含む前記基材の前記第２の面上の第２のコーティングを含み、前記耐熱性が、前記第１のコーティングおよび前記第２のコーティングの一方に加えられた熱が、前記第１のコーティングおよび前記第２のコーティングの他方の少なくとも１つの感熱カラー画像形成構成要素を画像形成するのを防止できるだけ十分高い両面感熱媒体。
【請求項１７】
前記基材の不透明性が、前記第１の面上の少なくとも１つの感熱カラー画像形成構成要素を介して画像形成されたカラーが、前記第２の面上の少なくとも１つの感熱カラー画像形成構成要素を介して画像形成されたカラーを変化させるように前記第２の面に貫通するのを防止できるだけ十分不透明である、請求項１６に記載の両面感熱媒体。
【請求項１８】
前記基材と前記第１の面上の前記第１のコーティングとの間に配置される第１のプライマと、
前記基材と前記第２の面上の前記第２のコーティングとの間に配置される第２のプライマとをさらに含む、請求項１６に記載の両面感熱媒体。
【請求項１９】
前記第１のコーティングおよび前記第２のコーティングのうちの一方の前記少なくとも１つの感熱画像形成構成要素が、着色染料または染料前駆体である、請求項１６に記載の両面感熱媒体。
【請求項２０】
前記第１のコーティングおよび前記第２のコーティングのうちの少なくとも一方が、３つの感熱カラー画像形成構成要素を含む、請求項１６に記載の両面感熱媒体。
【請求項２１】
前記３つの感熱カラー画像形成構成要素が、シアン、マゼンタおよびイエローである、請求項２０に記載の両面感熱媒体。
【請求項２２】
前記第１のコーティングおよび前記第２のコーティングのうちの少なくとも一方が、前記３つの感熱カラー画像形成構成要素の混合物を含む、請求項２１に記載の両面感熱媒体。
【請求項２３】
前記第１のコーティングおよび前記第２のコーティングのうちの少なくとも一方が、
第１の感熱カラー画像形成構成要素を含む第１の感熱画像形成構成要素コートと、
第２の感熱カラー画像形成構成要素を含む第２の感熱画像形成構成要素コートと、
第３の感熱カラー画像形成構成要素を含む第３の感熱画像形成構成要素コートとを含む、請求項２０に記載の両面感熱媒体。
【請求項２４】
前記第１の感熱画像形成構成要素コートと前記第２の感熱画像形成構成要素コートとの間に配置される第１のバリア・コートと、
前記第２の感熱画像形成構成要素コートと前記第３の感熱画像形成構成要素コートとの間に配置される第２のバリア・コートとをさらに含む、請求項２３に記載の両面感熱媒体。
【請求項２５】
前記第１のコーティングおよび前記第２のコーティングの少なくとも一方が、少なくとも１つの感熱カラー画像形成構成要素を含む少なくとも１つのカラー部分を含む、請求項２０に記載の両面感熱媒体。
【請求項２６】
前記少なくとも１つのカラー部分のうちの１つが、３つの感熱カラー画像形成構成要素を含む、請求項２５に記載の両面感熱媒体。
【請求項２７】
前記３つの感熱カラー画像形成構成要素が、シアン、マゼンタおよびイエローを含む、請求項２６に記載の両面感熱媒体。
【請求項２８】
前記少なくとも１つのカラー部分のうちの１つが、前記３つの感熱カラー画像形成構成要素の混合物を含む、請求項２６に記載の両面感熱媒体。
【請求項２９】
前記少なくとも１つのカラー部分が、
第１の感熱カラー画像形成構成要素を含む第１の感熱画像形成構成要素コートと、
第２の感熱カラー画像形成構成要素を含む第２の感熱画像形成構成要素コートと、
第３の感熱カラー画像形成構成要素を含む第３の感熱画像形成構成要素コートとを含む、請求項２６に記載の両面感熱媒体。
【請求項３０】
前記第１のコーティングおよび前記第２のコーティングの少なくとも一方上に保護トップコートをさらに含む、請求項１６に記載の両面感熱媒体。
【請求項３１】
第１の面および第２の面を含む基材と、
複数の感熱カラー画像形成構成要素の混合物を含む前記基材の前記第１の面上の第１のコーティングと、
少なくとも１つの感熱カラー画像形成構成要素を含む前記基材の前記第２の面上に第２のコーティングと、
を含むことを特徴とする両面感熱媒体。
【請求項３２】
前記基材の前記第２の面上の前記第２のコーティングが、
第１の感熱カラー画像形成構成要素を含む第１の感熱画像形成構成要素コートと、
第２の感熱カラー画像形成構成要素を含む第２の感熱画像形成構成要素コートと、
第３の感熱カラー画像形成構成要素を含む第３の感熱画像形成構成要素コートとを含む、請求項３１に記載の両面感熱媒体。
【請求項３３】
複数の感熱カラー画像形成構成要素の混合物を含む前記基材の前記第２の面上に第２のコーティングをさらに含む、請求項３１に記載の両面感熱媒体。
【請求項３４】
前記基材が、前記第１のコーティングおよび前記第２のコーティングのうちの一方に加えられた熱が、前記第１のコーティングおよび前記第２のコーティングの他方の１つまたは複数の感熱カラー画像形成構成要素を画像形成するのを防止するのに十分な耐熱性を提供することができる、請求項３３に記載の両面感熱媒体。
【請求項３５】
前記基材の不透明性が、前記第１の面上の１つまたは複数の感熱カラー画像形成構成要素を介して画像形成されたカラーが、前記第２の面上の１つまたは複数の感熱カラー画像形成構成要素を介して画像形成されたカラーを変化させるように、前記第２の面に貫通するのを防止できるだけ十分不透明である、請求項３３に記載の両面感熱媒体。
【請求項３６】
前記第１のコーティングまたは前記第２のコーティングの前記混合物内の少なくとも１つの感熱画像形成構成要素が、着色染料または染料前駆体である、請求項３３に記載の両面感熱媒体。
【請求項３７】
前記第１のコーティングおよび前記第２のコーティングのうちの少なくとも１つの前記混合物が、３つの感熱カラー画像形成構成要素を含む、請求項３３に記載の両面感熱媒体。
【請求項３８】
前記３つの感熱カラー画像形成構成要素が、シアン、マゼンタおよびイエローである、請求項３７に記載の両面感熱媒体。
【請求項３９】
前記第１のコーティングおよび前記第２のコーティングの少なくとも一方が、前記複数の感熱カラー画像形成構成要素の前記混合物を含む少なくとも１つのカラー部分を含む、請求項３３に記載の両面感熱媒体。
【請求項４０】
前記第１のコーティングおよび前記第２のコーティングのうちの少なくとも一方上に保護トップコートをさらに含む、請求項３３に記載の両面感熱媒体。
【請求項４１】
両面感熱媒体及び両面ダイレクト・サーマル・プリンタを備えた両面感熱印刷システムであって、
前記両面感熱媒体は、
第１の面および第２の面を含む耐熱性基材と、
少なくとも１つの感熱カラー画像形成構成要素を含む前記基材の前記第１の面上の第１のコーティングと、
少なくとも２つの感熱カラー画像形成構成要素を含む前記基材の前記第２の面上の第２のコーティングとを含み、前記基材の耐熱性が、前記第１のコーティングおよび前記第２のコーティングの一方に加えられた熱が、前記第１のコーティングおよび前記第２のコーティングの他方の少なくとも１つの感熱カラー画像形成構成要素を画像形成するのを防止できるだけ十分高く形成されており、
前記両面ダイレクト・サーマル・プリンタは、
第１のプラテンの近くに位置する第１のサーマル・プリント・ヘッドと、
第２のプラテンの近くに位置する第２のサーマル・プリント・ヘッドとを備え、前記第１のサーマル・プリント・ヘッドが、前記第２のプラテンに対してほぼ対向し、前記第２のサーマル・プリント・ヘッドが、前記第１のプラテンに対してほぼ対向し、
前記第１のサーマル・プリント・ヘッドおよび前記第２のサーマル・プリント・ヘッドが、カラーで前記両面感熱媒体の各第１の面および第２の面上の前記第１のコーティングおよび前記第２のコーティングを画像形成するために、所定の温度で所定の持続時間の間作動することができる両面感熱印刷システム。
【請求項４２】
両面感熱媒体及び両面ダイレクト・サーマル・プリンタを備えた両面感熱印刷システムであって、
前記両面感熱媒体は、
第１の面および第２の面を含む不透明な耐熱性基材と、
少なくとも１つの感熱カラー画像形成構成要素を含む前記基材の前記第１の面上の第１のコーティングと、
少なくとも２つの感熱カラー画像形成構成要素を含む前記基材の前記第２の面上の第２のコーティングとを含み、前記基材の耐熱性が、前記第１のコーティングおよび前記第２のコーティングの一方に加えられた熱が、前記第１のコーティングおよび前記第２のコーティングの他方の少なくとも１つの感熱カラー画像形成構成要素を画像形成するのを防止できるだけ十分高く、さらに、
前記両面ダイレクト・サーマル・プリンタは、
第１のプラテンの近くに位置する第１のサーマル・プリント・ヘッドと、
第２のプラテンの近くに位置する第２のサーマル・プリント・ヘッドとを備え、前記第１のサーマル・プリント・ヘッドが、前記第２のプラテンに対してほぼ対向し、前記第２のサーマル・プリント・ヘッドが、前記第１のプラテンに対してほぼ対向し、
前記第１のサーマル・プリント・ヘッドおよび前記第２のサーマル・プリント・ヘッドが、前記カラーで前記両面感熱媒体の各第１の面および第２の面上の前記第１のコーティングおよび前記第２のコーティングを画像形成するために、所定の温度で所定の持続時間の間作動することができる両面感熱印刷システム。
【請求項４３】
両面感熱媒体及び両面ダイレクト・サーマル・プリンタを備えた両面感熱印刷システムであって、
前記両面感熱媒体は、
第１の面および第２の面を含む基材と、
複数の感熱カラー画像形成構成要素の混合物を含む前記基材の前記第１の面上の第１のコーティングと、
少なくとも１つの感熱カラー画像形成構成要素を含む前記基材の前記第２の面上の第２のコーティングとを含み、さらに、
前記両面ダイレクト・サーマル・プリンタは、
第１のプラテンの近くに位置する第１のサーマル・プリント・ヘッドと、
第２のプラテンの近くに位置する第２のサーマル・プリント・ヘッドとを備え、前記第１のサーマル・プリント・ヘッドが、前記第２のプラテンに対してほぼ対向し、前記第２のサーマル・プリント・ヘッドが、前記第１のプラテンに対してほぼ対向し、
前記第１のサーマル・プリント・ヘッドおよび前記第２のサーマル・プリント・ヘッドが、カラーで前記両面感熱媒体の各第１の面および第２の面上の前記第１のコーティングおよび前記第２のコーティングを画像形成するために、所定の温度で所定の持続時間の間作動することができる両面感熱印刷システム。